(57)【要約】【課題】基地局から不適切な無線チャネル送信電力が報告されてもハンドオーバーを実施できるようにする。【解決手段】測定された移動局受信端での無線チャネルの絶対レベル及び減衰量に基づき通信中の無線チャネルの絶対レベルが良好であるか否かを判断し（ステップＳＴ１）。絶対レベルが良好であると判断した場合には（ステップＳＴ１：Ｙｅｓ）、減衰量をハンドオーバー判定基準とする（ステップＳＴ２）。一方、絶対レベルが良好でない場合には（ステップＳＴ１：Ｎｏ）、絶対レベルをハンドオーバー判定基準とした場合、ハンドオーバー先の基地局があるかどうかを確認し（ステップＳＴ３）、ハンドオーバー先の基地局が存在する場合には（ステップＳＴ３：Ｙｅｓ）、ハンドオーバー判定基準を絶対レベルに変更する（ステップＳＴ４）。【選択図】　　　図２
2004112688.tif 000002
【特許請求の範囲】
【請求項１】
複数の基地局が送信する無線チャネルを受信し、その複数の無線チャネルの回線品質を測定することで、ハンドオーバー先の基地局の候補を決定し、その旨を通信中基地局に通知するＣＤＭＡ移動通信システムにおけるハンドオーバー制御方法において、ハンドオーバー先基地局を候補に追加するかどうかの判定基準として、移動局受信端での減衰量と、移動局受信端での絶対レベルとを現在通信中の無線チャネルの絶対レベルに従って使い分けることを特徴とするハンドオーバー制御方法。
【請求項２】
ＣＤＭＡ移動通信システムにおいて、移動局は、複数の基地局が送信する無線チャネルの絶対レベル及び減衰量を測定する測定手段と、前記測定された絶対レベル及び減衰量を受けて、ハンドオーバー先基地局を候補に追加するかどうかの判定基準に減衰量と絶対レベルのいずれを用いるかを現在通信中の無線チャネルの絶対レベルに従って決定する制御手段と、を具備することを特徴とする移動局。
【発明の詳細な説明】
【０００１】
【発明の属する技術分野】
本発明は、ＣＤＭＡ移動通信システムにおけるハンドオーバー制御方法及びそのハンドオーバー制御方法を実施する移動局に関する。
【０００２】
【従来の技術】
ＣＤＭＡ移動通信システムでは、移動局は、複数の基地局が送信する無線チャネルを受信し、その複数の無線チャネルの回線品質を測定することで、ハンドオーバー先の基地局の候補を決定し、その旨を通信中基地局に通知することでハンドオーバーを実施している。
【０００３】
このハンドオーバーの制御では、移動局受信端での減衰量がハンドオーバー先基地局を候補に追加するかどうかの判定基準として用いられている。ここに、移動局受信端での減衰量とは、基地局から報告される無線チャネルの送信電力から移動局受信端での無線チャネルの実際の受信レベル（以下「絶対レベル」という）を引いた値である。
【０００４】
即ち、移動局は、通信中基地局の減衰量と周辺基地局の減衰量とを比較し、周辺基地局の減衰量が現在通信中の基地局の減衰量に対して設定された範囲内に入ると、その基地局をハンドオーバー先の基地局として追加し、ハンドオーバーを実施している。
【０００５】
【発明が解決しようとする課題】
しかしながら、移動局が、ハンドオーバーの判定基準として、移動局受信端での無線チャネルの減衰量を用いる場合には、ハンドオーバー先の移動局受信端での無線チャネルの絶対レベルは大きく、受信品質としては良好でも、減衰量が設定範囲以内に入らない場合には、ハンドオーバーの対象とは判定されないので、ハンドオーバーが行えないことが起こる。
【０００６】
つまり、現状のＣＤＭＡ移動通信システムでは、移動局が、ハンドオーバーの判定基準として、移動局受信端での無線チャネルの減衰量を用いているので、基地局から報告される無線チャネルの送信電力次第ではハンドオーバーが行えず、その結果、ハンドオーバー元との通信品質が劣化し、切断してしまう場合があるという問題があった。
【０００７】
本発明は、かかる点に鑑みてなされてものであり、ＣＤＭＡ移動通信システムにおいて、基地局から不適切な無線チャネル送信電力が報告されてもハンドオーバーを行うことができるハンドオーバー制御方法及び移動局を提供することを目的とする。
【０００８】
【課題を解決するための手段】
本発明のハンドオーバー制御方法は、複数の基地局が送信する無線チャネルを受信し、その複数の無線チャネルの回線品質を測定することで、ハンドオーバー先の基地局の候補を決定し、その旨を通信中基地局に通知するＣＤＭＡ移動通信システムにおけるハンドオーバー制御方法において、ハンドオーバー先基地局を候補に追加するかどうかの判定基準として、移動局受信端での減衰量と、移動局受信端での絶対レベルとを現在通信中の無線チャネルの絶対レベルに従って使い分けるようにした。
【０００９】
この方法によれば、ハンドオーバーの判定基準として、無線チャネルの減衰量と移動局受信端での無線チャネルの絶対レベルとを現在通信中の無線チャネルの絶対レベルに従って使い分けるようにしたので、基地局から不適切な無線チャネル送信電力が報告されても、切断することなく、ハンドオーバーを実施することができる。
【００１０】
本発明の移動局は、ＣＤＭＡ移動通信システムにおいて、移動局は、複数の基地局が送信する無線チャネルの絶対レベル及び減衰量を測定する測定手段と、前記測定された絶対レベル及び減衰量を受けて、ハンドオーバー先基地局を候補に追加するかどうかの判定基準に減衰量と絶対レベルのいずれを用いるかを現在通信中の無線チャネルの絶対レベルに従って決定する制御手段と、を具備する構成を採る。
【００１１】
この構成によれば、ハンドオーバー先基地局を候補に追加するかどうかの判定基準に減衰量と絶対レベルのいずれを用いるかを現在通信中の無線チャネルの絶対レベルに従って決定するようにしたので、基地局から不適切な無線チャネル送信電力が報告されても、切断することなく、ハンドオーバーを実施することができる。
【００１２】
【発明の実施の形態】
本発明の骨子は、ハンドオーバー先基地局を候補に追加するかどうかの判定基準を無線チャネルの減衰量と移動局受信端での無線チャネルの絶対レベルとで適応的に使い分けることによって、切断しないＣＤＭＡハンドオーバー制御を実現することである。
【００１３】
以下、本発明の実施の形態について、図面を参照して詳細に説明する。
【００１４】
図１は、本発明の一実施の形態に係る移動局の構成を示すブロック図である。図１に示す移動局は、アンテナ１００を介して図示しない基地局とＣＤＭＡ電波の授受を行う無線送受信部１０１と、無線送受信部１０１の受信出力を受けて、移動局受信端での無線チャネルの絶対レベルを測定し、それに基づき移動局受信端での無線チャネルの減衰量を求める測定部１０２と、測定部１０２が求めた絶対レベルと減衰量とを比較し、いずれをハンドオーバー判定基準として用いるかを決定する制御部１０３とを備えている。
【００１５】
制御部１０３は、具体的には、例えば図２に示す手順でハンドオーバー判定基準を決定する。なお、図２は、図１に示す移動局にて実施されるハンドオーバー制御方法を説明するフローチャートである。
【００１６】
図２おいて、制御部１０３は、測定部１０２にて測定された移動局受信端での無線チャネルの絶対レベル（受信レベル）及び減衰量に基づき通信中の無線チャネルの絶対レベルが良好であるか否かを判断する（ステップＳＴ１）。
【００１７】
制御部１０３は、ステップＳＴ１の判断結果、絶対レベルが良好であると判断した場合には（ステップＳＴ１：Ｙｅｓ）、減衰量をハンドオーバー判定基準としてハンドオーバーを実施する（ステップＳＴ２）。
【００１８】
一方、制御部１０３は、ステップＳＴ１の判断結果、絶対レベルが良好でない場合には（ステップＳＴ１：Ｎｏ）、絶対レベルの設定範囲内にＨＯ（ハンドオーバー）先のチャネルの絶対レベルが確認できるか否かを判断する（ステップＳＴ３）。つまり、ステップＳＴ３では、絶対レベルをハンドオーバー判定基準とした場合、ハンドオーバー先の基地局があるかどうかを確認する。
【００１９】
そして、ステップＳＴ３の判断結果、ハンドオーバー先の基地局が存在する場合には（ステップＳＴ３：Ｙｅｓ）、ハンドオーバー判定基準を絶対レベルに変更して、ハンドオーバーを実施する（ステップＳＴ４）。ステップＳＴ３の判断結果、ハンドオーバー先の基地局が存在しない場合には（ステップＳＴ３：Ｎｏ）、ハンドオーバーは実施せず、処理を終了する。
【００２０】
斯くして、本実施の形態によれば、ハンドオーバーの判定基準として、無線チャネルの減衰量と移動局受信端での無線チャネルの絶対レベルとを現在通信中の無線チャネルの絶対レベルに従って使い分けるようにしたので、基地局から不適切な無線チャネル送信電力が報告されても切断することなく、ハンドオーバーを実施することができる。
【００２１】
【発明の効果】
以上説明したように、本発明によれば、基地局から不適切な無線チャネル送信電力が報告されても切断することなく、ハンドオーバーを実施することができる。
【図面の簡単な説明】
【図１】本発明の一実施の形態に係る移動局の構成を示すブロック図
【図２】図１に示す移動局にて実施されるハンドオーバー制御方法を説明するフローチャート
【符号の説明】
１００　アンテナ
１０１　無線送受信部
１０２　測定部
１０３　制御部
【図１】
2004112688.tif 000003
【図２】
2004112688.tif 000004